(57)【特許請求の範囲】
【請求項１】
複数の電気接続子が形成されたハウジングと、
前記電気接続子と対向する位置に出入可能に保持され前記電気接続子に接続するフレキシブル基板を圧着固定するロック部品と、
前記電気接続子と前記ロック部品の圧着面とにより構成される基板嵌挿部とからなるコネクタと、フレキシブル基板とを接続するフレキシブル基板の接続構造において、
前記フレキシブル基板は、フイルム状で前記電気接続子に接続する接続端子が形成され前記基板嵌挿部に挿入する挿入部と、
前記挿入部の両側に該挿入部と同じ方向に延在する位置合わせ用のガイド部と、
前記ガイド部の内側に切り込まれ、前記挿入部の挿入深さを確認する位置確認部とからなり、
前記位置確認部は、前記基板嵌挿部に正常に挿入された前記挿入部の先端面とロック解除され終端部に位置する前記ロック部品の後端面とが一致するような位置に形成されていることを特徴とするフレキシブル基板の構造。
【請求項２】
前記位置確認部は、前記基板嵌挿部に正常に挿入された前記挿入部の先端面と、ロックされた前記ロック部品の鍔の前端面とが一致するような位置に形成されていることを特徴とする請求項１記載のフレキシブル基板の構造。
【請求項３】
前記位置確認部は、前記基板嵌挿部に正常に挿入された前記挿入部の先端面と、ロック解除され終端部に位置する前記ロック部品の後端面と、ロックされた前記ロック部品の鍔の前端面とが一致するような２箇所の位置に形成されていることを特徴とする請求項１記載のフレキシブル基板の構造。
【請求項４】
前記両側のガイド部は、前記コネクタの後端部を囲うように連結されていることを特徴とする請求項１〜３記載のフレキシブル基板の構造。
【請求項５】
前記挿入部の両側には、前記ロック部品を押し込むロック部品押圧部が形成されており、
前記挿入部が前記基板嵌挿部に挿入されると同時に前記ロック部品が押し込まれ、該挿入部が所定の位置まで挿入された時に該ロック部品により固定されることを特徴とする請求項１記載のフレキシブル基板の構造。
【請求項６】
前記フレキシブル基板の前記接続端子形成面の背面側には、
樹脂板を用いた補強板が接着されていることを特徴とする請求項１〜５記載のフレキシブル基板の構造。
【発明の詳細な説明】
【０００１】
【発明の属する技術分野】
本発明は、フレキシブル基板とコネクタとの接続に適したフレキシブル基板およびコネクタ並びにフレキシブル基板とコネクタとの接続構造に関する。
【０００２】
【従来の技術】
従来例のフレキシブル基板とコネクタとの接続構造を図１７、図１８および図１９を用いて説明する。
【０００３】
図１７は従来例のフレキシブル基板を示す図で、（ａ）平面図、（ｂ）側面図である。図１８は従来例のコネクタを示す概略図で、（ａ）平面図（ロック解除状態）、（ｂ）Ｄ−Ｄ断面図である。図１９は従来例のフレキシブル基板とコネクタの接続状態を示す図で、（ａ）挿入状態の平面図、（ｂ）ロック状態の平面図、（ｃ）ロック状態の断面図である。
【０００４】
フレキシブル基板（以下、ＦＰＣと言う）１００は、図１７に示すようにフイルム状に形成された基板１０６に接続用のパターンが形成されており、パターンの終端部には別のプリント基板（例えばメイン基板）や他の機器またはサブ基板などに実装されたコネクタ１１０に挿入する接続部１０１が形成されている。接続部１０１にはコネクタ１１０に挿入し易いように、接続端子１０２が形成されている面の背面に樹脂板で形成された補強板１０３が貼り付けられている。尚、補強板１０３の挿入方向の長さは、コネクタ１１０のロック部品１１３を解除した状態で、接続部１０１を所定の位置まで挿入した時に、ロック部品１１３の後端面１１６と補強板１０３の後端面１０４とが一致するような長さに形成されている。即ち、接続部１０１の先端部１０５から解除したロック部品１１３の後端面１１６までの長さとなる。
【０００５】
コネクタ１１０は、図１８に示すように複数の接続端子１１１が所定の間隔で保持されたハウジング１１２と、挿入したＦＰＣ１００が抜けないようにロックするためのロック部品１１３などにより構成された横型（挿入穴１１５が、実装面Ｆに対して平行に形成されている）のコネクタである。接続端子１１１の終端部はハウジング１１２の先端下部より延出され、ＦＰＣ１０の挿入方向と同一方向に実装面Ｆに実装する実装端子１１７が形成されている。ロック部品１１３は挿入方向に構成された接続端子１１１と対向して出入可能に保持されたロック部品１１３のＦＰＣ押圧面１１４との間がＦＰＣ１００の挿入穴１１５となる。尚、ロック部品１１３はハウジング１１２に押し込むことによりロック部品１１３のＦＰＣ押圧面１１４でＦＰＣ１００の接続端子をハウジング１１２の接続端子に圧着させてロックする。また、ロック部品１１３をハウジング１１２から引き出すことによりＦＰＣ１００のロック状態が解除される。
【０００６】
次に、ＦＰＣとコネクタとの接続について図１９を用いて説明する。
【０００７】
ＦＰＣ１００とコネクタ１１０とを接続させるには、先ず、コネクタ１１０のロック部品１１３をロック解除状態にする。次に、接続部１０１の補強板１０３側をロック部品１１３側にして、挿入穴１１５に所定の位置まで挿入する。そして、ロック部品１１３の後端面１１６と補強板１０３の後端面１０４とが一致したかどうかを目視により確認する。そして、一致したと確認できた場合には、ロック部品１１３をハウジング１１２に押し込み、ＦＰＣ１００の接続端子１０２をコネクタ１１０の接続端子１１１に圧着させて接続する。もし、一致していない場合には挿入状態を修正し、一致した段階でロック部品１１３をハウジング１１２に押し込み、ＦＰＣ１００の接続端子１０２をコネクタ１１０の接続端子１１１に圧着させて接続する。尚、ロック後に正常な接続状態が得られない場合にはロックを解除し上述の接続動作を繰り返す。
【０００８】
【発明が解決しようとする課題】
しかし、上述のＦＰＣの接続部の構造では、補強板の寸法のばらつきと、補強板の貼り付けにより位置がばらつくので、上述の方法を用いてＦＰＣの挿入状態を確認すると、挿入寸法がばらつき挿入不十分や斜め挿入などが発生し、ＦＰＣとコネクタとの接続が不完全になるおそれがある。また、目視による確認がしにくいので不正確で時間がかかると言う問題がある。
【０００９】
本発明は上述の問題を解決するもので、ＦＰＣとコネクタとが確実にしかも容易に接続できる接続構造を提供することを目的とする。
【００１０】
【課題を解決するための手段】
本発明は上述の目的を達成するもので、フレキシブル基板をコネクタに挿入し固定するフレキシブル基板の接続構造において、前記フレキシブル基板には、前記コネクタに挿入する挿入部と、前記挿入部が前記コネクタに正常に挿入された場合に該コネクタの外周に当接する位置確認部とが形成され、複数の電気接続子が形成されたハウジングと、前記電気接続子と対向する位置に出入可能に保持され前記電気接続子に接続するフレキシブル基板を圧着固定するロック部品と、前記電気接続子と前記ロック部品の圧着面とにより構成される基板嵌挿部とからなるコネクタと、フレキシブル基板とを接続するフレキシブル基板の接続構造において、前記フレキシブル基板は、フイルム状で前記電気接続子に接続する接続端子が形成され前記基板嵌挿部に挿入する挿入部と、前記挿入部の両側に該挿入部と同じ方向に延在するガイド部と、前記ガイド部の内側に切り込まれ、前記挿入部の挿入深さを確認する位置確認部とからなり、前記位置確認部は、前記基板嵌挿部に正常に挿入された前記挿入部の先端面とロック解除され終端部に位置する前記ロック部品の後端面とが一致するような位置に形成されていることを特徴とするものである。
【００１２】
また、前記位置確認部は、前記基板嵌挿部に正常に挿入された前記挿入部の先端面と、ロックされた前記ロック部品の鍔の前端面とが一致するような位置に形成されていることを特徴とするものである。
【００１３】
また、前記位置確認部は、前記基板嵌挿部に正常に挿入された前記挿入部の先端面と、ロック解除され終端部に位置する前記ロック部品の後端面と、ロックされた前記ロック部品の鍔の前端面とが一致するような２箇所の位置に形成されていることを特徴とするものである。
【００１４】
また、前記両側のガイド部は、前記コネクタの後端部を囲うように連結されていることを特徴とするものである。
【００１５】
また、前記挿入部の両側には、前記ロック部品を押し込むロック部品押圧部が形成されており、前記挿入部が前記基板嵌挿部に挿入されると同時に前記ロック部品が押し込まれ、該挿入部が所定の位置まで挿入された時に該ロック部品により固定されることを特徴とするものである。
【００１６】
また、前記フレキシブル基板の前記接続端子形成面の背面側には、樹脂板を用いた補強板が接着されていることを特徴とするものである。
【００１８】
また、フレキシブル基板を他の基板に設けているコネクタに挿入し固定するフレキシブル基板の接続構造において、前記フレキシブル基板は、前記コネクタに挿入する挿入部と、前記挿入部の挿入具合を確認するための位置確認部からなり、前記コネクタは、前記フレキシブル基板の挿入部が正常に挿入されると、前記位置確認部が前記基板に当接する位置に挿入口が設けられていることを特徴とするものである。
【００２０】
【発明の実施の形態】
本発明の第１の実施の形態を図１、図２および図３を用いて説明する。
【００２１】
図１は本発明の第１の実施の形態に係るフレキシブル基板の接続部を示す図で、（ａ）平面図、（ｂ）側面図である。図２は本発明に適用したコネクタを示す概略図で、（ａ）平面図（ロック解除状態）、（ｂ）Ａ−Ａ断面図である。図３は第１の実施の形態に係るフレキシブル基板とコネクタの接続状態を示す図で、（ａ）挿入状態の平面図、（ｂ）ロック状態の平面図、（ｃ）ロック状態の断面図である。
【００２２】
ＦＰＣ１０は、図１に示すようにフイルム状に形成された基板１８と補強板１５等により構成されている。基板１８には接続用のパターンが形成されており、パターンの終端部には別のプリント基板（例えばメイン基板）や他の機器またはサブ基板などに実装されたコネクタ２０と接続する接続部１１が形成されている。その接続部１１には、コネクタ２０に挿入する挿入部１２と、挿入部１２の両側に位置合わせ用のガイド部１４が形成されている。挿入部１２にはコネクタ２０の接続端子２１に接続する接続端子１３が形成されている。また、ガイド部１４にはコネクタ２０に所定の位置まで挿入し、ロック解除した状態のロック部品２３の後端面２６に当接するように位置確認部１５が形成されている。尚、挿入部１２の先端部１６から位置確認部１５までの寸法Ｌ１は、挿入部１２を挿入穴２４に所定の位置まで挿入して、ロック部品２３をロック解除した状態で、挿入部１２の先端部１６からロック部品２３の後端面２６までの寸法と同じ寸法とする。
【００２３】
また、接続部１１の接続端子１３が形成されている面の背面には、コネクタ２０に挿入し易いように、接続部１１と同じ形状の補強板１７が貼り付けられている。補強板１７には薄い樹脂板が用いられ、接続部１１より大きめに貼り付けた後に、基板１８と一緒に金型により所定の形状（接続部１１）に打ち抜き形成されるので、挿入部１２の先端部１６から位置確認部１５までの寸法Ｌ１には、ばらつきがなく一定の寸法に管理することができる。
【００２４】
コネクタ２０は、図２に示すように複数の接続端子２１が所定の間隔で保持されたハウジング２２と、挿入したＦＰＣ１０が抜けないようにロックするためのロック部品２３などにより構成された横型（挿入穴２４が、実装面Ｆに対して平行に形成されている）のコネクタである。ハウジング２２は、ＦＰＣ１０の挿入方向に複数の接続端子２１が構成されており、接続端子２１の終端部がハウジング２２の先端下部より延出され、ＦＰＣ１０の挿入方向と同一方向に実装端子２５が形成されている。また、接続端子２１と対向して出入可能に保持されたロック部品２３のＦＰＣ押圧面２７との間がＦＰＣ１０の挿入部１２の挿入穴２４となる。尚、ロック部品２３はハウジング２２に押し込むことによりＦＰＣ１０をロックし、ハウジング２２から引き出すことによりロック状態が解除される。
【００２５】
次に、ＦＰＣとコネクタとの接続について図３を用いて説明する。
【００２６】
ＦＰＣ１０とコネクタ２０とを接続させるには、先ず、コネクタ２０のロック部品２３をロック解除状態にする。次に、接続部１１の補強板１７側をロック部品２３側にして、挿入部１２を挿入穴２４に所定の位置まで挿入する。この状態で、接続部１１のガイド部１４の位置確認部１５とロック部品２３の後端面２６とが一致したかどうかを目視により確認する。そして、一致したと確認できた場合には、ロック部品２３をハウジング２２に押し込み、ロック部品２３のＦＰＣ押圧面２７でＦＰＣ１０の接続端子１３をハウジング２２の接続端子２１に圧着させて、ＦＰＣ１０とコネクタ２０とを接続する。
【００２７】
以上説明したように本発明の第１の実施の形態に係るＦＰＣ１０とコネクタ２０の接続構造によれば、ＦＰＣ１０の挿入部１２の両側に挿入寸法を確認するための位置確認部１５が形成されているので、挿入部１２の挿入状態を目視により容易に確認することができる。その結果、挿入部１２を所定の位置まで確実に挿入しロックすることが可能となり、ＦＰＣ１０とコネクタ２０との接続を正確にしかも容易に行うことができる。
【００２８】
次に、本発明の第２の実施の形態を図４および図５を用いて説明する。
【００２９】
図４は本発明の第２の実施の形態に係るフレキシブル基板の接続部を示す図で、（ａ）平面図、（ｂ）側面図である。図５は第２の実施の形態に係るフレキシブル基板とコネクタの接続状態を示す図で、（ａ）挿入状態の平面図、（ｂ）ロック状態の平面図、（ｃ）ロック状態の断面図である。尚、第２の実施の形態は第１の実施の形態の一部を変更したもので、その他については第１の実施の形態と略同じであるので、同じ構成については同じ符号を付し説明を省略する。
【００３０】
ＦＰＣ３０は、図４に示すように基板３８と補強板３６等により構成されている。基板３８にはコネクタ２０と接続する接続部３１が形成されおり、その接続部３１には、コネクタ２０に挿入する挿入部３２と、挿入部３２の両側に位置合わせ用のガイド部３３が形成されている。挿入部３２にはコネクタ２０の接続端子２１に接続する接続端子３４が形成されている。また、ガイド部３３には、コネクタ２０に所定の位置まで挿入し、ロックした状態のロック部品２３のストッパ面２８に係合するように位置確認部３５が形成されている。
【００３１】
また、接続部３１の接続端子３４が形成されている面の背面には、コネクタ２０に挿入し易いように、接続部３１と同じ形状の補強板３６が貼り付けられている。補強板３６には薄い樹脂板が用いられ、接続部３１より大きめに貼り付けた後に、基板３８と一緒に金型により所定の形状（接続部３１）に打ち抜き形成されるので、挿入部３２の先端部３７から位置確認部３５までの寸法Ｌ２には、ばらつきがなく一定の寸法に管理することができる。
【００３２】
次に、ＦＰＣとコネクタとの接続について図５を用いて説明する。
【００３３】
ＦＰＣ３０とコネクタ２０とを接続させるには、先ず、コネクタ２０のロック部品２３をロック解除状態にする。次に、接続部３１の補強板３６側をロック部品２３側にして、挿入部２４の両側のガイド部３３をコネクタ２０の上側方向に撓ませ、コネクタ２０に当たらないようにした状態で、挿入部３２を挿入穴２４に所定の位置まで挿入する。所定の位置まで挿入したら撓ませていたガイド部３３を元の状態に戻す。次に、ロック部品２３をハウジング２２に押し込み挿入部３２をロックする。この状態でロック部品２３のストッパ面２８が、両側のガイド部３３の位置確認部３５と正常に係合しているかを目視により確認する。もし、ストッパ面２８と位置確認部３５とが重なったり、または、隙間が多すぎる場合には正常な挿入が行われていないので、ロック部品２３をハウジング２２から引き出し、ロック状態を解除して挿入部３２の挿入状態を修正し再度ロック動作を行う。以下、必要により正常挿入が得られるまで上述の動作を繰り返し行う。これによりロック部品２３のＦＰＣ押圧面２７でＦＰＣ３０の接続端子３４をハウジング２２の接続端子２１に圧着させて、ＦＰＣ３０とコネクタ２０とを接続する。
【００３４】
以上説明したように本発明の第２の実施の形態に係るＦＰＣ３０とコネクタ２０の接続構造によれば、ＦＰＣ３０の挿入部３２の両側に挿入寸法を確認するための位置確認部３５が形成されているので、目視により容易に確認することができる。その結果、挿入部３２を所定の位置まで挿入しロックすることができるので、ＦＰＣ３０とコネクタ２０との接続を正確にしかも容易に行うことが可能となる。
【００３５】
次に、本発明の第３の実施の形態を図６、図７および図８を用いて説明する。
【００３６】
図６は本発明の第３の実施の形態に係るフレキシブル基板の接続部を示す図で、（ａ）平面図、（ｂ）側面図である。図７は第３の実施の形態に係るフレキシブル基板とコネクタの接続状態を示す図で、（ａ）挿入状態の平面図、（ｂ）ロック状態の平面図、（ｃ）ロック状態の断面図である。図８は第３の実施の形態に係るフレキシブル基板の接続部の別の形状を示す図で、（ａ）平面図、（ｂ）側面図である。尚、第３の実施の形態は第１の実施の形態の一部を変更したもので、その他については第１の実施の形態と同じ構成については同じ符号を付し説明を省略する。
【００３７】
ＦＰＣ４０は、図６に示すように基板４２と補強板４３等により構成されており、基板４２にはコネクタ２０と接続する接続部４１が形成されている。その接続部４１には、コネクタ２０に挿入する挿入部４４と、挿入部４４の両側に位置合わせ用のガイド部４５が形成されている。挿入部４４にはコネクタ２０の接続端子２１に接続する接続端子４９が形成されている。また、ガイド部４５には、挿入部４４をコネクタ２０に所定の位置まで挿入し、ロックする前のロック部品２３の後端面２６と係合する第１の位置確認部４６と、ロックした後の状態のロック部品２３のストッパ面２８に係合する第２の位置確認部４７とからなる位置確認凹部が形成されている。
【００３８】
また、接続部４１の接続端子が形成されている面の背面には、コネクタ２０に挿入し易いように、接続部４１と同じ形状の補強板４３が貼り付けられている。補強板４３には薄い樹脂板が用いられ、接続部４１より大きめに貼り付けた後に、基板４２と一緒に金型により所定の形状（接続部４１）に打ち抜き形成されるので、挿入部４４の先端部４６から第２の位置確認部４７までの寸法Ｌ３および第１の位置確認部４６と第２の位置確認部４７までの寸法Ｌ４には、ばらつきがなく一定の寸法に管理することができる。
【００３９】
尚、図６では挿入部４４の両側に位置合わせ用のガイド部４５を独立して形成したが、図８で示すＦＰＣ５０のようにＦＰＣ４０の挿入部４４の両側に形成された位置合わせ用のガイド部４５の先端部を延長し、コネクタ２０の先端部を囲うように連結部５１で接続してもよい。
【００４０】
次に、ＦＰＣとコネクタとの接続について図７を用いて説明する。
【００４１】
ＦＰＣ４０とコネクタ２０とを接続させるには、先ず、コネクタ２０のロック部品２０をロック解除状態にする。次に、接続部４１の補強板４３側をロック部品２０側にして、挿入部４４の両側のガイド部４５をコネクタ２０の上側方向に撓ませ、コネクタ２０に当たらないようにした状態で、挿入部４４を挿入穴２４に所定の位置まで挿入する。挿入部４４を所定の位置まで挿入したら撓ませていたガイド部４５を元の状態に戻す。この状態でロック部品２０の後端面２６が両側のガイド部４５の第１の位置確認部４６と正常に係合しているかを目視により確認する。もし、後端面２６と第１の位置確認部４６とが重なったり、または、隙間が多すぎる場合には正常な挿入が行われていないので、挿入部４４の挿入状態を修正する。そして、後端面２６と第１の位置確認部４６とが正常に係合すれば、ロック部品２０をハウジング２２に押し込み挿入部４４をロックする。この状態でロック部品２０のストッパ面２８が、第２の位置確認部４４と正常に係合しているかを目視により確認する。もし、ストッパ面２８と第２の位置確認部４４とが重なったり、または、隙間が多すぎる場合には正常な接続が行われていないので、ロック部品２０をハウジング２２から引き出し挿入部４４の挿入状態を修正し再度ロック動作を行う。以下、必要により正常な接続が得られるまで上述の動作を繰り返し行う。これによりロック部品２０のＦＰＣ押圧面２７でＦＰＣ４０の接続端子４９をハウジング２２の接続端子２１に圧着させて、ＦＰＣ４０とコネクタ２０とを接続する。
【００４２】
以上説明したように本発明の第３の実施の形態に係るＦＰＣ４０とコネクタ２０の接続構造によれば、ＦＰＣ４０の挿入部４４の両側に挿入寸法を確認するための第１，第２の位置確認部４６，４７が形成されているので、挿入部４４のロック前の挿入状態とロック後の挿入状態とが目視による容易に確認することができる。その結果、挿入部４４を所定の位置まで確実に挿入しロックすることができるので、ＦＰＣ４０とコネクタ２０との接続を正確にしかも容易に行うことが可能となる。
【００４３】
その他に、図８で示すＦＰＣ５０のようにＦＰＣ４０の位置合わせ用のガイド部４５の先端部を延長して連結部５１で接続することにより、ＦＰＣ４０の挿入部４４を挿入穴２４に挿入する際に、連結部５１によって両方のガイド部４５を一緒に撓ませることができるので挿入作業が容易になる。また、ロックされたＦＰＣ４０に引き抜く方向に力が加わっても、挿入部４４の連結部５１がコネクタ２０の先端部に係止しているので、ＦＰＣ４０が抜けるのを防止することができる。
【００４４】
次に、本発明の第４の実施の形態を図９、図１０および図１１を用いて説明する。
【００４５】
図９は本発明の第４の実施の形態に係るコネクタを示す概略図で、（ａ）平面図（ロック解除状態）、（ｂ）Ｂ−Ｂ断面図である。図１０は本発明の第４の実施の形態に係るフレキシブル基板の接続部を示す図で、（ａ）平面図、（ｂ）側面図である。図１１は第４の実施の形態に係るフレキシブル基板とコネクタの接続状態を示す図で、（ａ）挿入状態の平面図、（ｂ）ロック状態の平面図、（ｃ）ロック状態の断面図である。尚、第４の実施の形態は第１の実施の形態と同じ構成については同じ符号を付し説明を省略する。
【００４６】
コネクタ５５は、図９に示すように複数の接続端子５８が所定の間隔で保持されたハウジング５６と、挿入したＦＰＣ６５が抜けないようにロックするためのロック部品５７などにより構成された横型（挿入穴６１が、実装面Ｆに対して平行に形成されている）のコネクタである。ハウジング５６には、ＦＰＣ６５の挿入方向に複数の接続端子５８が構成されており、接続端子５８の終端部がハウジング５６の先端下部より延出され、ＦＰＣ６５の挿入方向に対して平行に実装端子５９が形成されている。また、接続端子５８と対向して出入可能に保持されたロック部品５７のＦＰＣ押圧面６０との間がＦＰＣ６５の挿入部６９の挿入穴６１となる。また、ハウジング５６の両側面にはＦＰＣ６５の挿入部６９の挿入寸法の位置決めとなる突出部６２が形成されている。尚、ロック部品５７はハウジング５６に押し込むことによりＦＰＣ６５（挿入部６９）をロックし、ハウジング５６から引き出すことによりロック状態が解除される。
【００４７】
ＦＰＣ６５は、図１０に示すように基板６６と補強板６７等により構成されており、基板６６にはコネクタ５５に接続する接続部６８が形成されている。その接続部６８には、コネクタ５５に挿入する挿入部６９と、挿入部６９の両側にガイド部７０が形成されている。挿入部６９には、コネクタ５５の接続端子５８に接続する接続端子７１が形成されている。また、ガイド部７０には、コネクタ５５に形成された位置決め用の突出部６２に係合する位置決め係合部７２が形成されている。そして、ガイド部７０の先端部は延長され、コネクタ５５の先端部を囲うように連結部７３で接続されている。
【００４８】
また、接続部６８の接続端子７１が形成されている面の背面には、コネクタ５５に挿入し易いように、接続部６８と同じ形状の補強板６７が貼り付けられている。補強板７１には薄い樹脂板が用いられ、接続部６８より大きめに貼り付けた後に、基板６６と一緒に金型により所定の形状（接続部６８）に打ち抜き形成されるので、挿入部６９の先端部７４から位置決め係合部７２までの寸法Ｌ５には、ばらつきがなく一定の寸法に管理することができる。
【００４９】
次に、ＦＰＣとコネクタとの接続について図１１を用いて説明する。
【００５０】
ＦＰＣ６５とコネクタ５５とを接続させるには、先ず、コネクタ５５のロック部品５７をロック解除状態にする。次に、接続部６８の補強板６７側をロック部品５７側にして、挿入部６９の両側のガイド部７０をコネクタ５５の上側方向に撓ませ、コネクタ５５に当たらないようにした状態で、挿入部６９を挿入穴６１に所定の位置まで挿入する。挿入部６９を所定の位置まで挿入したら撓ませていたガイド部７０を元の状態に戻す。この状態でハウジング５６の突出部６２とガイド部７０の位置決め係合部７２とが正常に係合しているかを目視により確認する。もし、正常に係合していない場合には挿入部６９の挿入状態を修正する。そして、突出部６２と位置決め係合部７２とが正常に係合すれば、ロック部品５７をハウジング５６に押し込み挿入部６９をロックする。これによりロック部品５７のＦＰＣ押圧面６０でＦＰＣ６５の接続端子７１をハウジング５６の接続端子５８に圧着させて、ＦＰＣ６５とコネクタ５５とを接続する。
【００５１】
以上説明したように本発明の第４の実施の形態に係るＦＰＣ６５とコネクタ５５の接続構造によれば、コネクタ５５のハウジング５６と一体に突出された突出部６２とＦＰＣ６５の挿入部６９の位置決め係合部７２との係合状態により、ＦＰＣ６５とコネクタ５５の接続状態を容易に確認することができるので、第１、第３の実施の形態のようにコネクタ５５の移動体のロック部品５７のストッパ部を位置決めに用いたときよりも、さらに位置決め精度が向上し、挿入部６９を所定の位置に正確にしかも容易にロックすることができる。
【００５２】
その他に、位置合わせ用のガイド部７０の先端部を延長して連結部７３で連結することにより、ＦＰＣ６５の挿入部６９を挿入穴６１に挿入する際に、連結部７３によって両方のガイド部７０を一緒に撓ませることができるので挿入作業が容易になる。また、ロックされたＦＰＣ６５に引き抜く方向に力が加わっても、、挿入部６９の位置決め係合部７２とコネクタ５５の突出部６２とが係合し、また、挿入部６９の連結部７３とコネクタ５５の先端部とが係止するので、ＦＰＣ６５がコネクタ５５から抜けるのを防止することができる。
【００５３】
尚、本実施の形態ではコネクタ５５を横型の場合について説明したが、縦型（挿入穴６１が、実装する例えばメイン基板に対して垂直になるようにＦＰＣ６５の挿入方向と垂直方向に実装端子５９を形成する）にし、ＦＰＣ６５を本例と同じ要領で接続することにより、コネクタを縦型にした場合も本例と同じ効果を得ることができる。この場合にはガイド部７０の連結部７３は不要となる。
【００５４】
次に、本発明の第５の実施の形態を図１２および図１３を用いて説明する。
【００５５】
図１２は本発明の第５の実施の形態に係るフレキシブル基板の接続部を示す図で、（ａ）平面図、（ｂ）側面図である。図１３は第５の実施の形態に係るフレキシブル基板とコネクタの接続状態を示す図で、（ａ）挿入状態の平面図、（ｂ）ロック状態の平面図、（ｃ）ロック状態の断面図である。尚、第５の実施の形態は第１の実施の形態の一部を変更したもので、その他については第１の実施の形態と略同じであるので、同じ構成については同じ符号を付し説明を省略する。
【００５６】
ＦＰＣ７５は、図１２で示すように基板７６と補強板７７等により構成されており、基板７６にはコネクタ２０に接続する接続部７８が形成されている。その接続部７８には、コネクタ２０に挿入する挿入部７９と、挿入部７９の根元の両側にロック部品２３をハウジング２２に押し込むための当接部８０が形成されている。また、挿入部７９には、コネクタ２０の接続端子２１に接続する接続端子８１が形成されている。尚、挿入部７９の先端部８２から当接部８０までの寸法Ｌ６は、挿入部７９を挿入穴２４に所定の位置まで挿入して、ロック部品２０をロックした状態で、挿入部７９の先端部８２からロック部品２３の後端面２６までの寸法と同じ寸法とする。
【００５７】
また、接続部７８の接続端子８１が形成されている面の背面には、コネクタ２０に挿入し易いように、接続部７８と略同じ形状の補強板７７が貼り付けられている。補強板７７には薄い樹脂板が用いられ、接続部７８より大きめに貼り付けた後に、基板７６と一緒に金型により所定の形状（接続部７８）に打ち抜き形成されるので、挿入部７９の先端部８２から当接部８０までの寸法Ｌ６には、ばらつきがなく一定の寸法に管理することができる。
【００５８】
次に、ＦＰＣとコネクタとの接続について図１３を用いて説明する。
【００５９】
ＦＰＣ７５とコネクタ２０とを接続させるには、コネクタ２０のロック部品２３をロック解除状態にする。次に、接続部７８の補強板７７側をロック部品２０側にして、挿入穴２４へ挿入し、ロック部品２０の後端面２６に、挿入部７９の当接部８０を当接させてロック部品２３を押しながら挿入部７９を所定の位置まで挿入する。そして、ロック部品２３が挿入終端部まで挿入されると、ロック部品２３がＦＰＣ７５の接続端子８１をハウジング２２の接続端子２１に圧着させてＦＰＣ７５とコネクタ２０とを接続させる。
【００６０】
以上説明したように本発明の第５の実施の形態に係るＦＰＣ７５とコネクタ２０の接続構造によれば、ＦＰＣ７５の挿入部７９の両側に形成された当接部８０により、ロック部品２３を押しながら挿入部７９が挿入穴２４に所定の位置まで挿入するので、ＦＰＣ７５とコネクタ２０との接続を確実に、しかも容易に行うことが可能となる。
【００６１】
次に、本発明の第６の実施の形態を図１４、図１５および図１６を用いて説明する。
【００６２】
図１４は本発明の第６の実施の形態に適用したコネクタを示す概略図で、（ａ）平面図（ロック解除状態）、（ｂ）Ｃ−Ｃ断面図である。図１５は本発明の第６の実施の形態に係るフレキシブル基板の接続部を示す図で、（ａ）平面図、（ｂ）側面図である。図１６は第６の実施の形態に係るフレキシブル基板とコネクタの接続状態を示す図で、（ａ）挿入途中の状態の平面図、（ｂ）ロック状態の平面図、（ｃ）ロック状態の断面図である。尚、第６の実施の形態は第１の実施の形態と同じ構成については同じ符号を付し説明を省略する。
【００６３】
コネクタ８５は、図１４に示すように複数の接続端子８６が所定の間隔で保持されたハウジング８７と、挿入したＦＰＣ９２が抜けないようにロックするためのロック部品８８などにより構成された縦型（挿入穴９１が実装面Ｆに対して垂直方向に形成されている）のコネクタである。ハウジング８７は、ＦＰＣ９２の挿入方向に複数の接続端子８６が構成されており、接続端子８６の終端部がハウジング８７の先端下部より延出され、ＦＰＣ９２の挿入方向と垂直方向に実装端子８９が形成されている。また、接続端子８６と対向して出入可能に保持されたロック部品８８のＦＰＣ押圧面９０との間がＦＰＣ９２の挿入部９６の挿入穴９１となる。尚、ロック部品８８はハウジング８７に押し込むことによりＦＰＣ９２（挿入部９６）をロックし、ハウジング８７から引き出すことによりロック状態が解除される。
【００６４】
ＦＰＣ９２は、図１５に示すように基板９３と補強板９４等により構成されており、基板９３にはコネクタ８５に接続する接続部９５が形成されている。その接続部９５にはコネクタ８５に挿入する挿入部９６と、挿入部９６の両側に位置決め用のガイド部９７が形成されている。ガイド部９７の先端部９８と挿入部９６の先端部８４までの寸法Ｌ７は、挿入部９６を挿入穴９１に所定の位置まで挿入したときに、ガイド部９５の先端面９８がコネクタ８５の実装面に丁度当接する長さに形成されている。
【００６５】
また、接続部９５の接続端子９９が形成されている面の背面には、コネクタ８５に挿入し易いように、接続部９５と同じ形状の補強板９４が貼り付けられている。補強板９４には薄い樹脂板が用いられ、接続部９５より大きめに貼り付けた後に、基板９３と一緒に金型により所定の形状（接続部９５）に打ち抜き形成されるので、挿入部９６の先端部８４から位置決め用のガイド部９７の先端面９８までの寸法Ｌ７には、ばらつきがなく一定の寸法に管理することができる。
【００６６】
次に、ＦＰＣとコネクタとの接続について図１６を用いて説明する。
【００６７】
ＦＰＣ９２とコネクタ８５とを接続させるには、先ず、コネクタ８５のロック部品８８をロック解除状態にする。次に、接続部９５の補強板９４側をロック部品８８側にして、挿入部９６を挿入穴９１に所定の位置まで挿入する。挿入部９６を所定の位置（両側の位置決め用のガイド部９７の先端面９８がコネクタ８５の実装面Ｆに当接するまで）まで挿入したら両側のガイド部９７の先端面９８が、コネクタ８５の実装面Ｆに当接しているかを目視により確認する。もし、両側のガイド部９７の先端面９８が当接していない場合には挿入部９６の挿入状態を修正する。そして、両側の先端面９８が当接しておれば、ロック部品８８をハウジング８７に押し込み挿入部９６をロックする。これによりロック部品８８のＦＰＣ押圧面９０でＦＰＣ９２の接続端子９９をハウジング８７の接続端子８６に圧着させて、ＦＰＣ９２とコネクタ８５とを接続する。
【００６８】
以上説明したように本発明の第６の実施の形態に係るＦＰＣ９２とコネクタ８５の接続構造によれば、ＦＰＣ９２の挿入部９６の両側の位置決め用のガイド部９７の先端面９８とコネクタ８５の実装面Ｆとの当接状態により、ＦＰＣ９２とコネクタ８５の接続状態を容易に確認することができるので、挿入部９６を所定の位置に正確にしかも容易にロックすることができる。
【００６９】
【発明の効果】
以上説明したように本発明によれば、ＦＰＣとコネクタとが確実にしかも容易に接続できる接続構造を提供することができる。
【図面の簡単な説明】
【図１】本発明の第１の実施の形態に係るフレキシブル基板の接続部を示す図である。
【図２】本発明に適用したコネクタを示す概略図である。
【図３】第１の実施の形態に係るフレキシブル基板とコネクタの接続状態を示す図である。
【図４】本発明の第２の実施の形態に係るフレキシブル基板の接続部を示す図である。
【図５】第２の実施の形態に係るフレキシブル基板とコネクタの接続状態を示す図である。
【図６】本発明の第３の実施の形態に係るフレキシブル基板の接続部を示す図である。
【図７】第３の実施の形態に係るフレキシブル基板とコネクタの接続状態を示す図である。
【図８】第３の実施の形態に係るフレキシブル基板の接続部の別の形状を示す図である。
【図９】本発明の第４の実施の形態に係るコネクタを示す概略図である。
【図１０】本発明の第４の実施の形態に係るフレキシブル基板の接続部を示す図である。
【図１１】第４の実施の形態に係るフレキシブル基板とコネクタの接続状態を示す図である。
【図１２】本発明の第５の実施の形態に係るフレキシブル基板の接続部を示す図である。
【図１３】第５の実施の形態に係るフレキシブル基板とコネクタの接続状態を示す図である。
【図１４】本発明の第６の実施の形態に適用したコネクタを示す概略図である。
【図１５】本発明の第６の実施の形態に係るフレキシブル基板の接続部を示す図である。
【図１６】第６の実施の形態に係るフレキシブル基板とコネクタの接続状態を示す図である。
【図１７】従来例のフレキシブル基板を示す図である。
【図１８】従来例のコネクタを示す概略図である。
【図１９】従来例のフレキシブル基板とコネクタの接続状態を示す図である。
【符号の説明】
１０，３０，４０，５０，６５，７５，９２・・ＦＰＣ（フレキシブル基板）
１１，３１，４１，６８，７８，９５・・接続部
１２，３２，４４，６９，７９，９６・・挿入部
１３，２１，３４，４９，５８，７１，８１，８６，９９・・接続端子
１４，３３，４５，７０，９７・・ガイド部
１５，３５・・位置確認部
１６，３７，４８，７４，８２，８４・・先端部
１７，３６，４３，６７，７７，９４・・補強板
１８，３８，４２，６６，７６，９３・・基板
２０，５５，８５・・コネクタ
２２，５６，８７・・ハウジング
２３，５７，８８・・ロック部品
２４，６１，９１・・挿入穴
２５，５９，８９・・実装端子
２６・・後端面
２７，６０，９０・・ＦＰＣ押圧面
２８・・ストッパ面
４６・・第１の位置確認部
４７・・第２の位置確認部
５１，７３・・連結部
６２・・突出部
７２・・係合部
８０・・当接部
９８・・先端面
【図１】
0004219545.tif 000002
【図２】
0004219545.tif 000003
【図３】
0004219545.tif 000004
【図４】
0004219545.tif 000005
【図５】
0004219545.tif 000006
【図６】
0004219545.tif 000007
【図７】
0004219545.tif 000008
【図８】
0004219545.tif 000009
【図９】
0004219545.tif 000010
【図１０】
0004219545.tif 000011
【図１１】
0004219545.tif 000012
【図１２】
0004219545.tif 000013
【図１３】
0004219545.tif 000014
【図１４】
0004219545.tif 000015
【図１５】
0004219545.tif 000016
【図１６】
0004219545.tif 000017
【図１７】
0004219545.tif 000018
【図１８】
0004219545.tif 000019
【図１９】
0004219545.tif 000020